(57)【要約】【課題】  外部電気回路基板に対する実装面積が小さく、かつ接続の信頼性に優れた電子部品搭載用基板を提供すること。【解決手段】  電子部品搭載用基板６は、上面に電子部品５が搭載される搭載部１ａを有する絶縁基板１と、絶縁基板１の搭載部１ａの周辺から絶縁基板１の下面にかけて導出された配線層２と、配線層２に電気的に接続されて絶縁基板１の下面に形成された複数の外部接続用のパッド３と、パッド３に一端部がパッド３の表面に沿って接合されているとともに他端部が外部電気回路に電気的に接続される外部リード端子４とを具備し、外部リード端子４は、一端部と他端部との間の中央部が斜め下方の外側に向かって延びるとともに他端部が絶縁基板１の下面に平行とされており、他端部が絶縁基板１の側面よりも内側に位置している。【選択図】  図１
2005072505.tif 000002
【特許請求の範囲】
【請求項１】
上面に電子部品が搭載される搭載部を有する絶縁基板と、該絶縁基板の前記搭載部の周辺から前記絶縁基板の下面にかけて導出された配線層と、該配線層に電気的に接続されて前記絶縁基板の下面に形成された複数の外部接続用のパッドと、該パッドに一端部が前記パッドの表面に沿って接合されているとともに他端部が外部電気回路に電気的に接続される外部リード端子とを具備しており、該外部リード端子は、前記一端部と前記他端部との間の中央部が斜め下方の外側に向かって延びるとともに前記他端部が前記絶縁基板の下面に平行とされており、前記他端部が前記絶縁基板の側面よりも内側に位置していることを特徴とする電子部品搭載用基板。
【発明の詳細な説明】
【技術分野】
【０００１】
本発明は、半導体素子や水晶発振子等の電子部品を搭載するための電子部品搭載用基板に関するものである。
【背景技術】
【０００２】
従来、半導体素子や水晶発振子等の電子部品を搭載するための電子部品搭載用基板としての一般的なフラットリードタイプのもの（ＱＦＰ：Quad Flat Package）は、通常、上面の中央部に電子部品の搭載部を有する四角形状の絶縁基板と、搭載部の周辺から絶縁基板の下面にかけて導出された配線層と、配線層と電気的に接続するようにして絶縁基板の下面の外周部に形成された外部接続用のパッドと、パッドに一端部が接合された外部リード端子とを具備した構造である。
【０００３】
外部リード端子は、一般に、帯状の金属材料（鉄−ニッケル合金や鉄−ニッケル−コバルト合金等）から成り、一端部はパッドの表面に沿って、銀ろう等のろう材を介して接合されている。このリード端子は、パッドに接合された一端部から他端部にかけて、絶縁基板の下面の延長面とほぼ平行に、絶縁基板の側面よりも外側に突き出るようにして延びており、他端部が外部電気回路の所定位置に絶縁基板の側面と平行に、半田等の低融点ロウ材を介して電気的に接続される。
【０００４】
この電子部品搭載用基板の搭載部に電子部品を搭載するとともに必要に応じて蓋体や封止樹脂等で気密封止することにより電子装置となる。そして、外部リード端子の他端部を外部電気回路基板に半田等の導電性の接続材を介して接続することにより電子装置が外部電気回路基板に実装され、搭載した電子部品が外部電気回路に電気的に接続される。
【特許文献１】特開平６−３７２３４号公報
【発明の開示】
【発明が解決しようとする課題】
【０００５】
しかしながら、このような従来の電子部品搭載用基板は、外部リード端子が絶縁基板の側面よりも外側に延びているため、外部電気回路基板に実装したときの平面視における占有面積が大きくなってしまうという問題点があった。電子装置の占有面積が大きくなると、外部電気回路基板や、外部電気回路基板を組み込む電子機器(コンピュータや携帯電話等）の小型化が困難になってしまう。
【０００６】
また、外部リード端子が絶縁基板の下面の延長面とほぼ平行であるため、外部電気回路基板に実装したときに、外部リード端子や絶縁基板の下面と外部電気回路基板の表面とが非常に近接したものであることから、また、外部リード端子を外部電気回路に接続する半田として錫−銀系等のいわゆる鉛フリー半田が多用されるようになってきており、このような鉛フリー半田の半田付け温度が高く、半田付け時に流れやすいことから、外部リード端子を外部電気回路に接続するときに半田が外部リード端子と外部電気回路の基板との間に広がってしまい、隣接するリード端子間で電気的な短絡を生じやすくなってしまうという問題点があった。
【０００７】
本発明は上記従来の問題に鑑みて完成されたものであり、その目的は、外部電気回路基板に対する実装面積が小さく、かつ接続の信頼性に優れた電子部品搭載用基板を提供することである。
【課題を解決するための手段】
【０００８】
本発明の電子部品搭載用基板は、上面に電子部品が搭載される搭載部を有する絶縁基板と、該絶縁基板の前記搭載部の周辺から前記絶縁基板の下面にかけて導出された配線層と、該配線層に電気的に接続されて前記絶縁基板の下面に形成された複数の外部接続用のパッドと、該パッドに一端部が前記パッドの表面に沿って接合されているとともに他端部が外部電気回路に電気的に接続される外部リード端子とを具備しており、該外部リード端子は、前記一端部と前記他端部との間の中央部が斜め下方の外側に向かって延びるとともに前記他端部が前記絶縁基板の下面に平行とされており、前記他端部が前記絶縁基板の側面よりも内側に位置していることを特徴とするものである。
【発明の効果】
【０００９】
本発明の電子部品搭載用基板によれば、外部リード端子は、一端部と他端部との間の中央部が斜め下方の外側に向かって延びるとともに他端部が絶縁基板の下面に平行とされており、他端部が絶縁基板の側面よりも内側に位置していることから、他端部を外部電気回路に接続し、実装したときの実装面積を、絶縁基板の上面または下面の面積とほぼ同じ程度にまで小さくすることができる。
【００１０】
また、外部リード端子は、一端部と他端部との間の中央部が斜め下方の外側に向かって延びるとともに他端部が絶縁基板の下面に平行とされていることから、外部リード端子（特に他端部およびその近辺）と外部電気回路基板との間に十分なスペースを確保することができ、他端部を外部電気回路に接続する際に、半田が上下方向のみならず横方向に広がることを効果的に防止して外部リード端子間の電気的短絡を防止することができる。
【発明を実施するための最良の形態】
【００１１】
本発明の電子部品搭載用基板を添付図面に基づき詳細に説明する。図１は本発明の電子部品搭載用基板の実施の形態の一例を示す断面図である。図１において、１は絶縁基板、２は配線層、３はパッド、４は外部リード端子である。これらの絶縁基板１、配線層２、パッド３および外部リード端子４とで、半導体素子や水晶発振子等の電子部品５を収容する電子部品搭載用基板６が主に構成される。
【００１２】
本発明における絶縁基板１は、上面のほぼ中央部に電子部品を搭載するための搭載部１ａを有している。この絶縁基板１は、酸化アルミニウム質焼結体、ガラスセラミック焼結体、窒化アルミニウム質焼結体、ムライト質焼結体等のセラミック材料や、エポキシ樹脂、ポリイミド樹脂等の有機樹脂、または、セラミックフィラー粉末を有機樹脂で結合してなる複合材料等の絶縁材料により形成される。
【００１３】
絶縁基板１は、例えば、酸化アルミニウム質焼結体から成る場合であれば、酸化アルミニウム、酸化ケイ素等の原料粉末を有機バインダー等とともにシート状に成形して得た複数のセラミックグリーンシートを積層し焼成することにより形成される。
【００１４】
この絶縁基板１の搭載部１ａの周辺から絶縁基板１の下面にかけて配線層２が導出されている。この配線層２は、搭載部１ａの周辺に露出した部位に電子部品５の電極が半田やボンディングワイヤを介して電気的に接続され、電子部品５の電極を絶縁基板１の下面まで導出する機能をなす。
【００１５】
また、絶縁基板１の下面には、外部接続用のパッド３が複数形成されており、パッド３は配線層２と電気的に接続されている。この接続パッド３は、外部リード端子４をロウ付けすることにより絶縁基板１に取着するためのロウ付け用金属層として機能する。
【００１６】
これらの配線導体２および接続パッド３は、タングステン、モリブデン、マンガン、銅、銀、金、パラジウム等の金属材料により形成されている。これらの金属材料は、メタライズ層、めっき層、金属箔等の形態で絶縁基板１に被着形成され、例えば、タングステンのメタライズ層から成る場合であれば、タングステンの粉末に有機溶剤、バインダーを添加し混練して得た金属ペーストを、絶縁基板１となるセラミックグリーンシートに塗布しておくこと等により形成される。
【００１７】
外部リード端子４は、鉄−ニッケル合金、鉄−ニッケル−コバルト合金等の鉄を主成分とする合金や、銅、または銅を主成分とする合金等の金属材料により形成されている。このリード端子４の一端部が、パッド３に銀ろう等のろう材を介して接合されている。
【００１８】
リード端子４の一端部は、パッド３の表面に沿って接合されており、これにより、この一端部とパッド３との接合面積を十分に確保し、リード端子４をパッド３に強固に接合するようにしている。
【００１９】
このリード端子４の他端部を外部電気回路基板に半田等の導電性の接続材を介して接続することにより、電子部品搭載用基板に搭載した電子部品５が、配線層２と外部リード端子４とを介して外部電気回路に電気的に接続される。
【００２０】
また、本発明の電子部品搭載用基板においては、外部リード端子４は、一端部と他端部との間の中央部が斜め下方の外側に向かって延びるとともに他端部が絶縁基板１の下面に平行とされている。
【００２１】
この構成により、外部リード端子４と外部電気回路基板との間に十分なスペースを確保することができ、半田が広がることを効果的に防止して外部リード端子４間の電気的短絡を防止することができる。外部リード端子４と外部電気回路基板との間に十分なスペースを確保するためには、外部リード端子４の一端部と他端部との間の上下方向の間隔は０．５ｍｍ以上であるのがよい。また、低背化の点では、外部リード端子４の一端部と他端部との間の上下方向の間隔は２ｍｍ以下がよい。
【００２２】
また本発明の電子部品搭載用基板においては、外部リード端子４の他端部が絶縁基板１の側面よりも内側に位置している。外部リード端子４の他端部を絶縁基板１の側面よりも内側に位置させることにより、他端部を外部電気回路に接続し実装したときの電子部品搭載用基板（電子装置）の実装面積を、絶縁基板の上面または下面の面積とほぼ同じ程度にまで小さくすることができる。
【００２３】
このように外部リード端子４の他端部を絶縁基板１の側面よりも内側に位置させる場合、他端部の先端位置は、平面視で絶縁基板１の側面から３ｍｍ以内とすることが好ましい。外部リード端子４の他端部の先端位置が絶縁基板１の側面から３ｍｍよりも内側に入ってしまうと、外部リード端子４を外部電気回路に接続するときの位置合わせが難しくなり、外部リード端子４を対応する外部電気回路の所定部位に接続することが難しくなる傾向がある。
【００２４】
また、外部リード端子４のうち一端部と他端部との間の中央部が斜め下方に外側に向かって延びるようにするには、外部リード端子４をパッド３に接続する前に、あらかじめ一端部と他端部との間の中央部となる部位を下方に向けて折り曲げておく方法や、外部リード端子４をパッド３に接続した後に、外部リード端子４の他端部が絶縁基体１の側面よりも内側に位置するように、外部リード端子４の中央部に曲げ加工を施す方法等を用いることができる。
【００２５】
なお、本発明は上述の実施の形態に限定されるものではなく、本発明の要旨を逸脱しない範囲内であれば種々の変更は可能である。例えば、外部リード端子４の露出表面にニッケル，金等のめっき層を被着させて、外部リード端子４の耐食性を向上させたり、半田等の接続強度をより強くするようにしたりしてもよい。
【図面の簡単な説明】
【００２６】
【図１】本発明の電子部品搭載用基板の実施の形態の一例を示す断面図である。
【符号の説明】
【００２７】
１・・・絶縁基板
２・・・配線層
３・・・パッド
４・・・外部リード端子
５・・・電子部品
６・・・電子部品搭載用基板
【図１】
2005072505.tif 000003